(57)【特許請求の範囲】
【請求項１】
互いに交差する基線に沿って２つの側壁を１枚板から曲げ起こして隅部を形成したケースであって、
上記隅部を形成する一方の側壁には、その隅部側に上辺から切り込みを入れて、当該側壁の隅部側の一部を内側に折り曲げることで、配線基板の支持台としての切り起こし片を形成し、
一方、上記隅部を形成する他方の側壁には、その隅部側に当該隅部よりも長く延在させた張出部を形成しておき、この張出部を上記一方の側壁と同一面となる側に折り曲げることで、上記切り起こし片の形成により明けられる開口を塞ぐ蓋部分を形成したことを特徴とする電子機器の基板取付装置。
【請求項２】
側壁を１枚板から曲げ起こして形成したケースであって、
ケースの非隅部における側壁の一部を上下方向中間部において内側に切り起こすことで、配線基板の支持台としての切り起こし片を形成し、
一方、上記切り起こし片を形成した側壁の上辺には、その上辺よりも上方に長く延在させた張出部を形成しておき、この張出部を上記側壁の外側面に重なるように折り曲げることで、上記切り起こし片の形成により明けられる開口を塞ぐ蓋部分を形成したことを特徴とする電子機器の基板取付装置。
【請求項３】
請求項１において、ケースの非隅部における側壁の一部を上下方向中間部において内側に切り起こすことで、配線基板の支持台としての切り起こし片を形成し、
一方、上記切り起こし片を形成した側壁の上辺には、その上辺よりも上方に長く延在させた張出部を形成しておき、この張出部を上記側壁の外側面に重なるように折り曲げることで、上記切り起こし片の形成により明けられる開口を塞ぐ蓋部分を形成したことを特徴とする電子機器の基板取付装置。
【請求項４】
請求項１、２又は３において、上記切り起こし片の形成により明けられる開口が、電子機器の電源部の周囲の側壁に形成されていることを特徴とする電子機器の基板取付装置。
【請求項５】
請求項１又は３において、上記隅部を形成する一方の側壁は、これに設けた切り起こし片より隅部側が開放空間部として形成されていることを特徴とする電子機器の基板取付装置。
【発明の詳細な説明】
【発明の属する技術分野】
本発明は、電子機器の基板取付装置に関するものである。
【従来の技術】
一般に、電子機器のケース内にプリント配線基板を内蔵させようとする場合、基板をケース底から物理的及び電気的に浮かせて配設することが望まれる。
かかる要望を満たす基板取付装置の１つとして、従来、図８及び図９に示すように、プリント配線基板をケースの側壁（フレーム）に締結する際に、ケース６０の側壁（フレーム）６１の一部を長方形の開口６２が残る形に内側に切り起こし、その切り起こし片６３を支持台として配線基板６４をネジ６５で締結する構造が採用されている。即ち、図８の如く、ケースの側壁６１の一部に、長方形の４辺のうちの下辺（又は上辺）を残し他３辺に切り込みを入れて、側壁６１の一部をほぼ水平状態になるように内側に折り曲げることで切り起こし、図９の如く、その切り起こし片６３上に配線基板６４を載せて支持すると共に、その配線基板６４を切り起こし片６３上にネジ６５で締結している。
また、この切り起こし片６３を形成することで、ケースの側壁６１に開口６２ができるため、従来、この開口６２を塞ぐ目的で、図１０に示すように専用の蓋部材６６を別個に用意し、この蓋部材６６を開口６２に嵌め込んでいる。
【発明が解決しようとする課題】
しかしながら、上記した従来の電子機器の基板取付装置では、開口を塞ぐ目的で専用の蓋部材を別個に用意しなければならず、部品点数が多くなると共に、蓋部材を専用蓋として形成しなければならないため、それだけ製造コストがかかる。
そこで本発明の目的は、上記課題を解決し、専用の蓋部材を別個に用意する必要なしに開口を塞ぐことのできる基板取付装置を提供することにある。
【課題を解決するための手段】
上記目的を達成するため、本願請求項１の発明に係る電子機器の基板取付装置は、互いに交差する基線に沿って２つの側壁を１枚板から曲げ起こして隅部を形成したケースにおいて、上記隅部を形成する一方の側壁には、その隅部側に上辺から切り込みを入れて、当該側壁の隅部側の一部を内側に折り曲げることで、配線基板の支持台としての切り起こし片を形成し、一方、上記隅部を形成する他方の側壁には、その隅部側に当該隅部よりも長く延在させた張出部を形成しておき、この張出部を上記一方の側壁と同一面となる側に折り曲げることで、上記切り起こし片の形成により明けられる開口を塞ぐ蓋部分を形成したことを特徴とするものである。
この基板取付装置によれば、ケースの側壁の隅部、つまりコーナー部において、側壁に形成された開口を、同じ１枚板から曲げ起こした蓋部分によって塞ぐことができる。そして、開口が同じ１枚板から曲げ起こした蓋部分によって塞がれることから、従来のように専用の蓋部材を用意し、それを管理する必要がない。また開口が塞がれることにより、側壁に開口がない状態となることから、静電シールド機能が向上でき、フレーム自体の強度も向上するという長所が得られる。
本願請求項２の発明に係る電子機器の基板取付装置は、側壁を１枚板から曲げ起こして形成したケースにおいて、ケースの非隅部における側壁の一部を上下方向中間部において内側に切り起こすことで、配線基板の支持台としての切り起こし片を形成し、一方、上記切り起こし片を形成した側壁の上辺には、その上辺よりも上方に長く延在させた張出部を形成しておき、この張出部を上記側壁の外側面に重なるように折り曲げることで、上記切り起こし片の形成により明けられる開口を塞ぐ蓋部分を形成したことを特徴とする。
この基板取付装置によれば、ケースの側壁の非隅部、つまり非コーナー部においても、側壁に形成された開口を、同じ１枚板から曲げ起こした蓋部分によって塞ぐことができる。
本願請求項３の発明に係る電子機器の基板取付装置は、請求項１において、ケースの非隅部における側壁の一部を上下方向中間部において内側に切り起こすことで、配線基板の支持台としての切り起こし片を形成し、一方、上記切り起こし片を形成した側壁の上辺には、その上辺よりも上方に長く延在させた張出部を形成しておき、この張出部を上記側壁の外側面に重なるように折り曲げることで、上記切り起こし片の形成により明けられる開口を塞ぐ蓋部分を形成したことを特徴とする。
この基板取付装置によれば、請求項１の発明の作用効果及び請求項２の発明の作用効果を得ることができる。
本願請求項４の発明に係る電子機器の基板取付装置は、請求項１、２又は３において、上記切り起こし片の形成により明けられる開口が、電子機器の電源部の周囲の側壁に形成されていることを特徴とする。
この特徴によれば、電子機器の電源部の周囲の側壁に形成されている開口から指を挿入して感電する等の危険を防止することができる。よって、安全規格を、部品点数を削減しつつ、満たすことができる。
本願請求項５の発明に係る電子機器の基板取付装置は、請求項１または３において、上記隅部を形成する一方の側壁は、これに設けた切り起こし片より隅部側が開放空間部として形成されていることを特徴とする。
この特徴によれば、ケースの隅部を形成する一方の側壁と他方の側壁との重なり部分を少なくして、材料費を節約することができる。
【発明の実施の形態】
以下、本発明を図示の実施形態に基づいて説明する。
図１において、１０は長方形の形をした電子機器の金属製ケースであり、内部には、プリント配線基板が、ＩＣチップを含む電子回路２２を担持したプリント配線基板２１と、その電源部２４を担持したプリント配線基板２３とに分けて配設されている。
ケース１０には、１枚板を曲げ起こして全体として上面開放型の収容空間をなすように形成した側壁が設けられている。本実施形態の場合、ケース１０には、電源部２４を囲んで、正面側の側壁１１と、側面側の側壁１２と、背面側の側壁１３とが具備され、その側面側の側壁１２の左右方向両側に隅部３０、４０が形成されている。このうち第１の隅部３０は、正面側の側壁１１と側面側の側壁１２とを、互いに交差する基線に沿って上記１枚板から曲げ起こされ、また第２の隅部４０は、側面側の側壁１２と背面側の側壁１３とを、互いに交差する基線に沿って上記１枚板から曲げ起こされている。
図２に側面側の側壁１２の正面図、即ち図１の側方（左側）から見た図を、また図３に電源部を囲むケース部分の上面図を示す。
まず、第１の隅部３０の側から説明するに、上記第１の隅部３０を形成する一方の側壁である側面側の側壁１２には、その隅部３０側に上辺１２ａから図２の如く切り込み３１を入れて、当該側壁１２の隅部３０側の一部を内側に折り曲げることで、プリント配線基板２３の支持台としての切り起こし片３２が形成されている。
この場合、図５に示すように、切り起こし片３２は切り込み３１から第１の隅部３０の稜線３０ａまでの全幅Ｗに亘って設けられているのではなく、切り起こし片３２より隅部３０側における区間Ｄについては、単なる開放空間部として形成されている。
一方、上記第１の隅部３０を形成する他方の側壁である正面側の側壁１１には、その隅部３０側に当該隅部よりも長く延在させた張出部（３３）を形成しておき、この張出部を、上記一方の側壁である側面側の側壁１２と同一面となる側に、図５の如く折り曲げることで、上記切り起こし片３２の形成により明けられる開口を塞ぐ蓋部分３３を形成している。この蓋部分３３は、切り込み３１から第１の隅部３０の稜線３０ａまでの全幅Ｗに亘って、開口を、同じ面一で被うように、開口と相似形に形成されている。
次に、第２の隅部４０の側についても、同様に、上記第２の隅部４０を形成する一方の側壁である側面側の側壁１２には、その隅部４０側に上辺１２ｂから図２の如く切り込み４１を入れて、当該側壁１２の隅部４０側の一部を図４の如く内側に折り曲げることで、配線基板の支持台としての切り起こし片４２が形成されている。
この場合、図４に示すように、切り起こし片４２は切り込み４１から第２の隅部４０の稜線４０ａまでの全幅Ｗに亘って設けられているのではなく、切り起こし片４２より隅部４０側の区間Ｄは、単なる開放空間部として形成されている。
一方、上記第２の隅部４０を形成する他方の側壁である背面側の側壁１３には、その隅部４０側に当該隅部よりも長く延在させた張出部（４３）を形成しておき、この張出部を、上記一方の側壁である側面側の側壁１２と同一面となる側に、図４の如く折り曲げることで、上記切り起こし片の形成により明けられる開口を塞ぐ蓋部分４３を形成している。この蓋部分４３は、切り込み４１から第２の隅部４０の稜線４０ａまでの全幅Ｗに亘って、開口を、同じ面一で被うように、開口と相似形に形成されている。
更に、ケース１０の側壁における非隅部、ここでは正面側の側壁１１の長手方向中間部には、図７に示すように、その上下方向中間部において側壁１１の一部を内側に切り起こすことにより、配線基板の支持台としての切り起こし片５２が形成されている。一方、この切り起こし片５２を形成した側壁１１の上辺１１ａには、その上辺１１ａよりも上方に長く延在させた張出部（５３）を形成しておき、この張出部を上記側壁の外側面に重なるように逆Ｕ字状に折り曲げることで、上記切り起こし片５２の形成により明けられる開口５４を塞ぐ蓋部分５３が形成されている。
上記の如く構成されたケース１０内には、図３に示すように、上述した３つ切り起こし片３２、４２及び５２と、ケース底に設けた突起から成る支持部５５とを支持台として、これらの上に上述のプリント配線基板２３の四隅が載置され、図６に示す如く、ネジ５６により締結される。
上記の基板取付装置によれば、ケース１０の側壁の隅部３０、４０において、側壁１２に切り起こし片３２、４２を形成することでできた開口を、同じ１枚板から曲げ起こした蓋部分３３、４３によって塞ぐことができる。またケース１０の側壁１１の隅部以外の領域、つまり非コーナー部においても、側壁１１に形成された開口５４を、同じ１枚板から曲げ起こした蓋部分５３によって塞ぐことができる。従って、従来のように開口を塞ぐ専用の蓋部材を用意し、管理する必要がない。また、安全規格上、一般に電源一次側の基板に対しては、それを囲うフレームに直径５ｍｍφ以上の穴が無いことが要請されるが、かかる要請も容易に満たすことができる。更にまた開口が塞がれることにより、側壁に開口がない状態となることから、静電シールドの機能を向上することができ、フレーム自体の強度も向上するという長所が得られる。
【発明の効果】
請求項１に記載の発明によれば、ケースの側壁の隅部、つまりコーナー部において、側壁に形成された開口を、同じ１枚板から曲げ起こした蓋部分によって塞ぐことができ、従来のように専用の蓋部材を用意し、管理する必要がない。また開口が塞がれることにより、側壁に開口がない状態となることから、静電シールド機能を向上させることができ、フレーム自体の強度も向上するという長所が得られる。
また、ケースの側壁の非隅部、つまり非コーナー部においても、側壁に形成された開口を、同じ１枚板から曲げ起こした蓋部分によって塞ぐことができる。また、電子機器の電源部の周囲の側壁に形成されている開口から指を挿入して感電する等の危険を防止することができる。よって、部品点数を削減しつつ、安全規格を満たすことができる。
また、切り起こし片より隅部側を開放空間部として形成することにより、ケースの隅部を形成する一方の側壁と他方の側壁との重なり部分を少なくして、材料費を節約することができる。
【図面の簡単な説明】
【図１】本発明の基板取付装置を有する電子機器のケースの概要を示した斜視図である。
【図２】本発明の基板取付装置の側面側の側壁を示した正面図である。
【図３】本発明の基板取付装置を有する電子機器の電源部におけるケース部分を示した平面図である。
【図４】図１の電子機器のケースの第２の隅部における構造を示した斜視図である。
【図５】図１の電子機器のケースの第１の隅部における構造を示した斜視図である。
【図６】図１の電子機器のケースの第１の隅部における構造をケース内側から示した斜視図である。
【図７】図１の電子機器のケースの非隅部における構造を示した斜視図である。
【図８】従来の基板取付装置の側壁を示した正面図である。
【図９】従来の基板取付装置の側壁を示した斜視図である。
【図１０】従来の基板取付装置の側壁の開口とその蓋部分を示した正面図である。
【符号の説明】
１０  ケース
１１  正面側の側壁
１１ａ  上辺
１２  側面側の側壁
１２ａ  上辺
１２ｂ  上辺
１３  背面側の側壁
２１  プリント配線基板
２２  電子回路
２３  プリント配線基板
２４  電源部
３０  第１の隅部
３０ａ  稜線
３１  切り込み
３２  切り起こし片
３３  蓋部分（張出部）
４０  第２の隅部
４０ａ  稜線
４１  切り込み
４２  切り起こし片
４３  蓋部分（張出部）
５２  切り起こし片
５３  蓋部分（張出部）
５４  開口
５５  支持部
【図１】
0003748030.tif 000002
【図２】
0003748030.tif 000003
【図３】
0003748030.tif 000004
【図４】
0003748030.tif 000005
【図５】
0003748030.tif 000006
【図６】
0003748030.tif 000007
【図７】
0003748030.tif 000008
【図８】
0003748030.tif 000009
【図９】
0003748030.tif 000010
【図１０】
0003748030.tif 000011